(57)【要約】
【課題】　昇降台の上昇を更に順調にして、昇降台の左右側を均一にして傾斜させることがなく、且つウェットナプキンを適当な湿度に保持すること。
【解決手段】　押圧板１１の下に連動素子１２が嵌め込まれており、前記連動素子１２の底端には、作動ブロック１３の嵌合端と嵌合するための貫通孔１２１が設けており、前記作動ブロック１３の嵌合端の反対側には鉤部１３２が設けており、前記鉤部１３２は摺動ブロック１４の側壁に掛合し、前記摺動ブロック１４は、一側には支持ロッド１５が軸設しており、他側の下面は箱体１０の底面に設けたラック１０１に係止し、その下端面の中央に当接ブロック１４１が延在しており、前記支持ロッド１５と摺動ブロック１４の間は捻りバネ１６で牽制され、支持ロッド１５の中央に別の支持ロッド１７が軸設しており、前記二つの支持ロッド１５，１７の間も弾性素子１８で牽制され、前記二つの支持ロッド１５，１７の上端には別々に支持ブロック１９，１９が軸設しており、前記支持ブロック１９，１９は昇降台２０の下面を支持する。
【選択図】　図１
0003099714.tif 000002
【実用新案登録請求の範囲】
【請求項１】
主に、一つの加熱器を持つ蓋体と、昇降台の構造が内部に設けられた箱体と、から構成されるウェットナプキン機における昇降台の構造であって、
前記昇降台の構造は、押圧板の下に一つの連動素子が嵌めてあり、
前記連動素子の底端には、一つの作動ブロックの嵌合端と嵌合するための貫通孔が設けてあり、
前記作動ブロックの嵌合端の反対側には一つの鉤部が設けてあり、
前記鉤部は一つの摺動ブロックの側壁に掛合し、
また、前記摺動ブロックは、一側には支持ロッドが軸設しており、他側の下面は箱体の底面に設けたラックに係止し、その下端面の中央には一つの当接ブロックが延在しており、
また、前記支持ロッドと摺動ブロックの間は捻りバネで牽制され、
支持ロッドの中央には別の支持ロッドが軸設しており、
前記二つの支持ロッドの間は弾性素子で牽制され、
前記二つの支持ロッドの上端には別々に支持ブロックが軸設しており、
前記支持ブロックは昇降台の下面を支持することを特徴とするウェットナプキン機における昇降台の構造。
【考案の詳細な説明】
【技術分野】
【０００１】
この考案はウェットナプキン機における昇降台の構造に係り、特にウェットナプキンを放置するための受け箱の構造に関する。
【背景技術】
【０００２】
目下、ウェットナプキンの使用及び運用範囲は極めて頻繁で広汎であり、赤ちゃん向きのウェットナプキンと言えば、赤ちゃんのみずみずしくて柔らかい肌を拭くときの保護および環境温度の変化の調整のために、ウェットナプキンを放置するための箱体内には加熱器を取り付けたものがある。
前記加熱器は全数のウェットナプキンを常時に加熱する必要がなく（その原因は、加熱時間が長すぎると、ウェットナプキンの水分が蒸発して湿度が低下する）、使用しようとするときに加熱するといいので、箱体の内部に一昇降機構を増設することが必要になる。
一般の昇降機構の内部には昇降台を支えるためのバネが設けられており、ウェットナプキンパックが昇降台の上に放置され、且つ側辺には歯形の係止装置が設けられており、上記部品を蓋の突出部に合わせると、予定の機能を達成することができる。
【考案の開示】
【考案が解決しようとする課題】
【０００３】
しかしながら、上記の構成でなされたものは次のような欠点があった。
上記の構成は、箱体の昇降台の下方に一つのバネを設け、そして蓋の突出部および昇降台ロック装置を合わせると、昇降台を適当な距離に上昇させることができるが、前記バネは箱体の中央に設けられているため、昇降台が前記バネに支えられて上昇する際に、左右側が不均一でやや傾斜して、昇降台の上昇が不順調であった。
【課題を解決するための手段】
【０００４】
上記欠点を解決するためになされた本願の請求項１の考案は、主に、一つの加熱器を持つ蓋体と、昇降台の構造が内部に設けられた箱体と、から構成されるウェットナプキン機における昇降台の構造であって、前記昇降台の構造は、押圧板の下に一つの連動素子が嵌めており、前記連動素子の底端には、一つの作動ブロックの嵌合端と嵌合するための貫通孔が設けており、前記作動ブロックの嵌合端の反対側には一つの鉤部が設けており、前記鉤部は一つの摺動ブロックの側壁に掛合し、また、前記摺動ブロックは、一側には支持ロッドが軸設しており、他側の下面は箱体の底面に設けたラックに係止し、その下端面の中央には一つの当接ブロックが延在しており、また、前記支持ロッドと摺動ブロックの間は捻りバネで牽制され、支持ロッドの中央には別の支持ロッドが軸設しており、前記二つの支持ロッドの間は弾性素子で牽制され、前記二つの支持ロッドの上端には別々に支持ブロックが軸設しており、前記支持ブロックは昇降台の下面を支持することを特徴とするウェットナプキン機における昇降台の構造であることを要旨としている。
この考案の構成によれば、前記昇降台はウェットナプキンを箱蓋に設けられた加熱器まで持ち上げて当接させて加熱することができる。
【考案の効果】
【０００５】
本考案は次のような効果がある。
（１）この考案に係るウェットナプキン機における昇降台の構造は、押圧板と、連接素子と、作動ブロックと、摺動ブロックと、捻りバネと、支持ロッドと、弾性素子と、から構成される。この考案に係る昇降台の構造によれば、昇降台の上昇が更に順調になり、昇降台の上昇する際に左右側が不均一で傾斜することがない。
【０００６】
（２）前記作動ブロックと摺動ブロックと箱体内に設けたラックとの設計により、毎回の上昇距離は３〜５枚のウェットナプキンの厚さ分に控え、これにより、ウェットナプキンは適当な湿度を保持することができる。
【考案を実施するための最良の形態】
【０００７】
まず、図１から図３を参照する。図１はこの考案の分解斜視図であり、図２はこの考案に係る昇降台の構造を示す分解斜視図であり、図３はこの考案の組立て状態を示す斜視概略図である。該ウェットナプキン機１は、主に、一つの加熱器Ｂを持つ蓋体３０と、昇降台構造Ａが内部に設けられた箱体１０と、から構成される。
【０００８】
前記昇降台構造Ａは、押圧板１１の下に一つの連動素子１２が嵌め込まれており、前記連動素子１２の底端には、一つの作動ブロック１３の嵌合端１３１と嵌合するための一つの貫通孔１２１が設けられている。前記作動ブロック１３の嵌合端１３１の反対側には一つの鉤部１３２が設けられており、前記鉤部１３２は一つの摺動ブロック１４の側壁に掛合し、また、前記摺動ブロック１４の一側には支持ロッド１５が軸設されており、他側の下面には箱体１０の底面に設けたラック１０１に係止し、その下端面の中央に一つの当接ブロック１４１が延在している。また、前記支持ロッド１５と摺動ブロック１４の間は捻りバネ１６で牽制されている。支持ロッド１５の中央には別の支持ロッド１７が軸設されており、前記二つの支持ロッド１５，１７の間も弾性素子１８で牽制されている。前記二つの支持ロッド１５，１７の上端には別々に支持ブロック１９が軸設されている。前記支持ブロック１９，１９は昇降台２０の下面を支持する。
【０００９】
図４から図６を参照する。実際に使用するときには、昇降台２０を箱体１０の底部まで押圧してから、ウェットナプキンパックを箱内に放置し、ここで、前記摺動ブロック１４は箱体１０の底部に設けたラック１０１に係止される。
二つの支持ロッド１５，１７および弾性素子１８も引っ張られて最大角度を成しており、前記捻りバネ１６は圧縮された状態である。
また、ウェットナプキンを加熱しようとするときには、押圧板１１を軽く押すと、前記連動素子１２が作動ブロック１３を押し、それに伴って、作動ブロック１３の鉤部１３２が前へ移動して前記摺動ブロック１４の側壁から離脱し、前記摺動ブロック１４を持ち上げる（図６のＡ箇所の拡大断面図に示すように）。ここで、前記前記摺動ブロック１４の先端は箱体１０に設けたラック１０１の制限から一時的に開放され、また、捻りバネ１６と弾性素子１８との弾力により、前記前記摺動ブロック１４は前へ移動し、ラック１０１の次の歯に係止される。前記二つの支持ロッド１５，１７に設けた支持ブロック１９，１９は昇降台２０を上へ押し上げる。そうすると、前記昇降台２０はウェットナプキンを箱蓋３０に設けられた加熱器Ｂまで持ち上げて当接させることで加熱することができる。
【図面の簡単な説明】
【００１０】
【図１】この考案の分解斜視図である。
【図２】この考案に係る昇降台の構造を示す分解斜視図である。
【図３】この考案の組立て状態を示す斜視概略図である。
【図４】この考案の動作を示す概略図１である。
【図５】この考案の動作を示す概略図２である。
【図６】図５におけるＡ箇所の拡大断面図である。
【符号の説明】
【００１１】
Ａ　　　　昇降台構造
Ｂ　　　　加熱器
１　　　　ウェットナプキン機
１０　　　箱体
１０１　　ラック
１１　　　押圧板
１２　　　連動素子
１２１　　貫通孔
１３　　　作動ブロック
１３１　　嵌合端
１３２　　鉤部
１４　　　摺動ブロック
１４１　　当接ブロック
１５　　　支持ロッド
１６　　　捻りバネ
１７　　　支持ロッド
１８　　　弾性素子
１９　　　支持ブロック
２０　　　昇降台
３０　　　蓋体
【図１】
0003099714.tif 000003
【図２】
0003099714.tif 000004
【図３】
0003099714.tif 000005
【図４】
0003099714.tif 000006
【図５】
0003099714.tif 000007
【図６】
0003099714.tif 000008